(57)【特許請求の範囲】
【請求項１】
発光のピーク波長が４４５ｎｍ以上４６０ｎｍ以下の第一発光素子と、
発光のピーク波長が４６５ｎｍ以上４９０ｎｍ以下の第二発光素子と、
前記第一発光素子または前記第二発光素子が発する光で励起されて光を発する蛍光体と、
前記蛍光体を含み、前記第一発光素子及び前記第二発光素子を一括封止する封止部材とを備え、
前記第一発光素子、前記第二発光素子、及び、前記蛍光体のそれぞれが発する光が混ざることにより白色光を発し、
前記白色光の発光スペクトルにおいて、前記第一発光素子の発光により現れるピークと前記第二発光素子の発光により現れるピークとはほぼ同じ光強度である
発光装置。
【請求項２】
前記発光装置は、前記第一発光素子及び前記第二発光素子をそれぞれ複数備え、
前記第一発光素子の数と前記第二発光素子の数とはほぼ同一である
請求項１に記載の発光装置。
【請求項３】
さらに、複数の前記第一発光素子及び複数の前記第二発光素子からなる発光素子列が実装される基板を備え、
前記発光素子列において、前記第一発光素子と前記第二発光素子とは、交互に配置される
請求項１または２に記載の発光装置。
【請求項４】
前記白色光の色温度は、４０００Ｋ以上７０００Ｋ以下である
請求項１〜３のいずれか１項に記載の発光装置。
【請求項５】
前記白色光の発光スペクトルにおいて、前記第一発光素子の発光により現れるピーク、及び、前記第二発光素子の発光により現れるピークは、いずれも前記蛍光体の発光により現れるピークよりも低い
請求項１〜３のいずれか１項に記載の発光装置。
【請求項６】
請求項１〜５のいずれか１項に記載の発光装置と、
前記発光装置に、当該発光装置を点灯させるための電力を供給する点灯装置とを備える
照明装置。
【発明の詳細な説明】
【技術分野】
【０００１】
本発明は、発光素子を光源とする発光装置、及び、これを用いた照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、高効率で省スペースな光源として照明用途またはディスプレイ用途等の各種の照明装置に広く利用されている。
【０００３】
また、基板に実装されたＬＥＤを透光性の樹脂で封止したＣＯＢ（Ｃｈｉｐ  Ｏｎ  Ｂｏａｒｄ）型の発光モジュール（発光装置）や、パッケージ化されたＳＭＤ（Ｓｕｒｆａｃｅ  Ｍｏｕｎｔ  Ｄｅｖｉｃｅ）型の発光素子を用いた発光装置が知られている（例えば、特許文献１参照）。
【先行技術文献】
【特許文献】
【０００４】
【特許文献１】特開２０１１−１４６６４０号公報
【発明の概要】
【発明が解決しようとする課題】
【０００５】
ＬＥＤなどの発光素子を用いた発光装置が発する白色光は、発光スペクトルに偏りがあるため、自然光よりも色の再現性が低い。つまり、上記のような発光装置においては、色の再現性を向上することが課題となる。
【０００６】
本発明は、青色の再現性を向上することができる発光装置及び照明装置を提供する。
【課題を解決するための手段】
【０００７】
本発明の一態様に係る発光装置は、発光のピーク波長が４４５ｎｍ以上４６０ｎｍ以下の第一発光素子と、発光のピーク波長が４６５ｎｍ以上４９０ｎｍ以下の第二発光素子と、前記第一発光素子または前記第二発光素子が発する光で励起されて光を発する蛍光体とを備え、前記第一発光素子、前記第二発光素子、及び、前記蛍光体のそれぞれが発する光が混ざることにより白色光を発する。
【０００８】
本発明の一態様に係る照明装置は、前記発光装置と、前記発光装置に、当該発光装置を点灯させるための電力を供給する点灯装置とを備える。
【発明の効果】
【０００９】
本発明の発光装置及び照明装置は、青色の再現性を向上することができる。
【図面の簡単な説明】
【００１０】
【図１】図１は、実施の形態１に係る照明装置の外観斜視図である。
【図２】図２は、実施の形態１に係る照明装置を、器具本体と発光部とに分解したときの外観斜視図である。
【図３】図３は、実施の形態１に係る発光装置の外観斜視図である。
【図４】図４は、実施の形態１に係る発光装置の模式断面図である。
【図５】図５は、複数の青色ＬＥＤチップと、複数の青緑色ＬＥＤチップとの電気的な接続関係を示す回路図である。
【図６】図６は、実施の形態１に係る発光装置が発する白色光の発光スペクトルの一例を示す図である。
【図７】図７は、特殊演色評価数Ｒ１２の試験色のスペクトル反射率を示す図である。
【図８】図８は、実施の形態２に係る発光装置が発する白色光の発光スペクトルを示す図である。
【図９】図９は、実施の形態２に係る発光装置の特殊演色評価数Ｒ９〜Ｒ１５を示す図である。
【発明を実施するための形態】
【００１１】
以下、実施の形態に係る発光装置及び照明装置について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
（実施の形態１）
［照明装置の構成］
まず、実施の形態１に係る照明装置について説明する。図１は、実施の形態１に係る照明装置の外観斜視図である。図２は、実施の形態１に係る照明装置を、器具本体と発光部とに分解したときの外観斜視図である。
【００１４】
図１および図２に示されるように、実施の形態１に係る照明装置１００は、発光部１１０と、器具本体１２０とを備える。照明装置１００は、いわゆるベースライトであって、例えば、学校、オフィス、または工場などで使用される。
【００１５】
器具本体１２０は、照明装置１００のベースとなる部材であり、例えば、ボルトおよびナットにより天井に固定される。器具本体１２０は、発光部１１０が埋設される凹部１３０を有する。発光部１１０は、例えば、器具本体１２０に着脱自在に取り付けられる。
【００１６】
なお、発光部１１０を器具本体１２０に着脱自在に取り付けられるのであれば、当該取り付けの手法として各種の手法を採用し得る。発光部１１０は、例えば、発光部１１０が有する金具（図示せず）が、凹部１３０の内面に形成された孔と係合することで器具本体１２０に取り付けられてもよい。また、発光部１１０は、例えば、ネジ等の締結部材によって器具本体１２０に取り付けられてもよい。
【００１７】
器具本体１２０の内部には、電力系統から供給される交流電力を直流電力に変換し、発光部１１０（発光装置１０）に供給する点灯装置１４０が設けられる。点灯装置１４０は、発光装置１０に、当該発光装置１０を点灯させるための電力を供給する。点灯装置１４０は、具体的には、器具本体１２０から延設された電線の端部に設けられたコネクタ１５０を介して直流電力を発光部１１０に供給する。コネクタ１５０と、発光部１１０から延設された電線の端部に設けられたコネクタ１６０とが嵌め合わされることで、器具本体１２０から発光部１１０に、発光部１１０の発光に必要な直流電力が供給される。
【００１８】
発光部１１０は、照明光を放出する発光装置１０と、発光装置１０を覆うカバー部材１８０とを有する。
【００１９】
発光装置１０は、光源（発光素子）としてＬＥＤ素子が用いられた発光モジュールである。発光装置１０の詳細な構成については後述する。
【００２０】
カバー部材１８０は、発光装置１０が発する光を透過させる部材である。カバー部材１８０は、例えば、透明なガラスまたは樹脂で形成される。また、実施の形態１では、カバー部材１８０は、発光装置１０が発する光を拡散する機能を有している。例えば、シリカまたは炭酸カルシウムなどの光拡散材（微粒子）を含有する樹脂または白色顔料を、カバー部材１８０の内面または外面に付着させることで、乳白色の光拡散膜がカバー部材１８０に形成される。また、カバー部材１８０そのものが、光拡散材が分散された樹脂材料等を用いて成形されてもよい。
【００２１】
なお、カバー部材１８０が光を拡散する機能を有することは必須ではなく、カバー部材１８０は、カバー部材１８０の外部から内部を視認可能な程度に透明であってもよい。
【００２２】
［発光装置の構成］
次に、発光装置１０の構成について図面を用いて説明する。図３は、発光装置１０の外観斜視図である。図４は、発光装置１０の模式断面図である。なお、図４は、発光装置１０を基板の短手方向に沿って切断した場合の模式断面図であり、図４には、発光装置１０の部分拡大図（破線で囲まれた部分）も含まれる。
【００２３】
図３及び図４に示されるように、実施の形態１に係る発光装置１０は、基板１４と、複数の青色ＬＥＤチップ１１、複数の青緑色ＬＥＤチップ１２と、封止部材１３とを備える。
【００２４】
発光装置１０は、基板１４にＬＥＤチップが直接実装された、いわゆるＣＯＢ構造のＬＥＤモジュールである。発光装置１０は、後述するように、特殊演色評価数Ｒ１２が向上された白色光を発することができる。つまり、青色の再現性を向上させることができる。
【００２５】
基板１４は、複数の青色ＬＥＤチップ１１及び複数の青緑色ＬＥＤチップ１２が実装される基板である。基板１４は、複数の青色ＬＥＤチップ１１及び複数の青緑色ＬＥＤチップ１２に電力を供給するための配線（図示せず）と、コネクタ１６とを有する。コネクタ１６は、複数の青色ＬＥＤチップ１１及び複数の青緑色ＬＥＤチップ１２に点灯装置１４０から直流電力を供給するためのコネクタである。
【００２６】
基板１４は、例えば、メタルベース基板またはセラミック基板である。また、基板１４は、樹脂を基材とする樹脂基板であってもよい。
【００２７】
セラミック基板としては、酸化アルミニウム（アルミナ）からなるアルミナ基板または窒化アルミニウムからなる窒化アルミニウム基板等が採用される。また、メタルベース基板としては、例えば、表面に絶縁膜が形成された、アルミニウム合金基板、鉄合金基板または銅合金基板等が採用される。樹脂基板としては、例えば、ガラス繊維とエポキシ樹脂とからなるガラスエポキシ基板等が採用される。
【００２８】
なお、基板１４として、例えば光反射率が高い（例えば光反射率が９０％以上の）基板が採用されてもよい。基板１４として光反射率の高い基板が採用されることで、青色ＬＥＤチップ１１が発する光を基板１４の表面で反射させることができる。この結果、発光装置１０の光取り出し効率が向上される。このような基板としては、例えばアルミナを基材とする白色セラミック基板が例示される。
【００２９】
また、基板１４として、光透過率が高い透光性基板が採用されてもよい。このような基板としては、多結晶のアルミナや窒化アルミニウムからなる透光性セラミックス基板、ガラスからなる透明ガラス基板、水晶からなる水晶基板、サファイアからなるサファイア基板または透明樹脂材料からなる透明樹脂基板が例示される。
【００３０】
なお、実施の形態１では基板１４は長尺板状（矩形板状）であるが、その他の形状であってもよい。
【００３１】
青色ＬＥＤチップ１１は、第一発光素子の一例であって、発光のピーク波長（中心波長）が４４５ｎｍ以上４６０ｎｍ以下のＬＥＤチップである。青色ＬＥＤチップ１１は、具体的には、青色光を発するＬＥＤチップであり、例えばＩｎＧａＮ系の材料によって形成される。実施の形態１では、青色ＬＥＤチップ１１は、波長４５０ｎｍに発光ピークを有する。
【００３２】
青緑色ＬＥＤチップ１２は、第二発光素子の一例であって、発光のピーク波長が４６５ｎｍ以上４９０ｎｍ以下のＬＥＤチップである。青緑色ＬＥＤチップ１２は、具体的には、青緑色光を発するＬＥＤチップであり、例えばＩｎＧａＮ系の材料によって形成される。なお、青緑色ＬＥＤチップは、青色ＬＥＤチップと同様の製造工程において、Ｉｎの量が増加されることにより製造できる。実施の形態１では、青緑色ＬＥＤチップ１２は、波長４８０ｎｍに発光ピークを有する。
【００３３】
なお、青色ＬＥＤチップ１１と青緑色ＬＥＤチップ１２とがいずれもＩｎＧａＮ系の材料によって形成される場合には、青色ＬＥＤチップ１１と青緑色ＬＥＤチップ１２とのＶｆ−Ｉｆ特性の差が少なく、かつ、青色ＬＥＤチップ１１と青緑色ＬＥＤチップ１２との温度特性の差が少ない。このため、発光素子の電気的な接続の自由度が高い（トータルＶｆを合わせやすい）利点がある。
【００３４】
基板１４上において、複数の青色ＬＥＤチップ１１と、複数の青緑色ＬＥＤチップ１２とは、基板１４の長手方向に沿って１列に並べて配置される。つまり、複数の青色ＬＥＤチップ１１と、複数の青緑色ＬＥＤチップ１２とは、１つの発光素子列を構成する。ここで、この発光素子列において、青色ＬＥＤチップ１１と、青緑色ＬＥＤチップ１２とは交互に配置される。これにより、発光装置１０が発する白色光の色むらを低減できる。
【００３５】
なお、１つの発光素子列を構成する、複数の青色ＬＥＤチップ１１、及び、複数の青緑色ＬＥＤチップ１２は、例えば、図５に示されるように電気的に接続される。図５は、複数の青色ＬＥＤチップ１１と、複数の青緑色ＬＥＤチップ１２との電気的な接続関係を示す回路図である。
【００３６】
図５に示されるように、発光素子列は、電気的には、第一グループ２１及び第二グループ２２からなる。第一グループ２１及び第二グループ２２のそれぞれは、複数の発光素子からなり、第一グループ２１と第二グループ２２とは直列接続されている。
【００３７】
第一グループ２１においては、直列接続された４つの発光素子が、７組並列接続されている。第二グループ２２においては、直列接続された３つの発光素子が、７組並列接続されている。
【００３８】
図５に示されるような電気的な接続関係は、基板１４に設けられた配線（図示せず）、及び、発光素子同士、または、発光素子と配線とを接続するボンディングワイヤ（図示せず）によって実現される。
【００３９】
なお、発光装置１０（発光素子列）は、複数の青色ＬＥＤチップ１１と複数の青緑色ＬＥＤチップ１２とをそれぞれ同数ずつ備えることで、青色光の光強度を、青色ＬＥＤチップ１１のみが用いられる場合の半分程度に低減することができる。図５の例では、青緑色ＬＥＤチップ１２のほうが青色ＬＥＤチップ１１よりも１つ多く、青色ＬＥＤチップ１１の数（２４個）と青緑色ＬＥＤチップ１２の数（２５個）とは、ほぼ同一である。ここで、ほぼ同一とは、青色ＬＥＤチップ１１の数と青緑色ＬＥＤチップ１２の数との差が、発光素子の総数（４９個）の１０％以内であることを意味する。
【００４０】
封止部材１３は、複数の青色ＬＥＤチップ１１、複数の青緑色ＬＥＤチップ１２を一括封止する封止部材である。封止部材１３は、具体的には、波長変換材として複数の黄色蛍光体１５ｙ及び複数の赤色蛍光体１５ｒを含んだ透光性樹脂材料で構成される。実施の形態１では、透光性樹脂材料としては、メチル系のシリコーン樹脂が用いられるが、エポキシ樹脂またはユリア樹脂などが用いられてもよい。封止部材１３は、基板１４の長手方向に沿うライン形状に形成される。
【００４１】
なお、封止部材１３は、複数のＬＥＤチップ（複数の青色ＬＥＤチップ１１及び複数の青緑色ＬＥＤチップ１２）を１チップ毎に個別に封止してもよい。しかしながら、複数のＬＥＤチップが１チップ毎に封止されると、色味が若干異なる部分が交互に並ぶことになる。つまり、発光装置１０の長手方向に沿って色味が周期的に変化することになり、微妙な色味の違いを視認されやすくなる。複数のＬＥＤチップが封止部材１３によって一括して封止される構成は、封止部材１３内部で隣り合うＬＥＤチップの光が混ざり合うことにより色味の均一性が高まるため好ましい。
【００４２】
黄色蛍光体１５ｙは、蛍光体（蛍光体粒子）の一例であって、青色ＬＥＤチップ１１が発する青色光、または、青緑色ＬＥＤチップ１２が発する青緑光によって励起されて黄色光を発する。黄色蛍光体１５ｙは、具体的には、蛍光のピーク波長が５５０ｎｍ以上５７０ｎｍ以下のイットリウム・アルミニウム・ガーネット（ＹＡＧ）系の蛍光体である。実施の形態１では、黄色蛍光体１５ｙは、波長５５０ｎｍに発光ピークを有する。
【００４３】
赤色蛍光体１５ｒは、蛍光体（蛍光体粒子）の一例であって、青色ＬＥＤチップ１１が発する青色光、または、青緑色ＬＥＤチップ１２が発する青緑光によって励起されて赤色光を発する。赤色蛍光体１５ｒは、具体的には、蛍光ピーク波長が６１０ｎｍ以上６２０ｎｍ以下の（Ｓｒ，Ｃａ）ＡｌＳｉＮ３：Ｅｕ２＋蛍光体である。なお、赤色蛍光体１５ｒは、必須ではなく、封止部材１３には赤色蛍光体１５ｒは含まれなくてもよい。
【００４４】
以上のような構成により、青色ＬＥＤチップ１１が発した青色光の一部は、封止部材１３に含まれる黄色蛍光体１５ｙによって黄色光に波長変換される。また、青色ＬＥＤチップ１１が発した青色光の一部は、封止部材１３に含まれる赤色蛍光体１５ｒによって赤色光に波長変換される。
【００４５】
同様に、青緑色ＬＥＤチップ１２が発した青緑色光の一部は、封止部材１３に含まれる黄色蛍光体１５ｙによって黄色光に波長変換される。また、青緑色ＬＥＤチップ１２が発した青緑色光の一部は、封止部材１３に含まれる赤色蛍光体１５ｒによって赤色光に波長変換される。
【００４６】
そして、黄色蛍光体１５ｙ及び赤色蛍光体１５ｒに吸収されなかった青色光及び青緑色光と、黄色蛍光体１５ｙによって波長変換された黄色光と、赤色蛍光体１５ｒによって波長変換された赤色光とは、封止部材１３中で拡散及び混合される。
【００４７】
これにより、封止部材１３からは、白色光が出射される。つまり、発光装置１０は、青色ＬＥＤチップ１１が発する青色光と、青緑色ＬＥＤチップ１２が発する青緑光と、黄色蛍光体１５ｙが発する黄色光と、赤色蛍光体１５ｒが発する赤色光とが混ざることにより白色光を発する。図６は、発光装置１０が発する白色光の発光スペクトルの一例を示す図である。なお、図６は、白色光の色温度が約５０００Ｋである場合の発光スペクトルを示す。
【００４８】
図６に示されるように、発光装置１０が発する白色光の発光スペクトルにおいて、青色ＬＥＤチップ１１の発光により現れる４５０ｎｍのピークと、青緑色ＬＥＤチップ１２の発光により現れる４８０ｎｍのピークとはほぼ同じ光強度である。ここで、ほぼ同じ光強度とは、例えば、発光スペクトルにおける光強度の比（青色ＬＥＤチップ１１の発光ピークにおける光強度／青緑色ＬＥＤチップ１２の発光ピークにおける光強度）が、０．９０以上１．１０以下であることを意味するが、発光スペクトルにおける光強度の比は、０．９５以上１．０５以下であることがより好ましい。
【００４９】
また、白色光の発光スペクトルにおいて、青色ＬＥＤチップ１１の発光により現れるピークは、黄色蛍光体１５ｙの発光により現れるピークよりも低い。図６の例では、青色ＬＥＤチップ１１の発光ピークにおける光強度を黄色蛍光体１５ｙの発光ピークにおける光強度で除算した値は、０．９０以上１．０３以下程度であるが、より好ましくは、０．９５以上０．９８以下程度である。なお、図６では、黄色蛍光体１５ｙの発光により現れるピークは、５７０ｎｍ付近に現れており、黄色蛍光体１５ｙの発光ピーク波長である５５０ｎｍと少し異なるが、これは、封止部材１３に赤色蛍光体１５ｒが含まれるためである。
【００５０】
発光装置１０が発する白色光の色温度は、５０００Ｋに限定されず、例えば、４０００Ｋ以上７０００Ｋ以下である。なお、色温度は、例えば、封止部材１３に含まれる黄色蛍光体１５ｙの量の調整、または、黄色蛍光体１５ｙ以外の蛍光体を封止部材１３に含めることによって調整可能である。
【００５１】
例えば、封止部材１３には、黄色蛍光体１５ｙに代えて、または、黄色蛍光体１５ｙに加えて緑色蛍光体が含まれてもよい。緑色蛍光体は、具体的には、例えば、蛍光のピーク波長が５２０ｎｍ以上５４０ｎｍ以下のＬｕ３Ａｌ５Ｏ１２：Ｃｅ３＋蛍光体である。
【００５２】
また、発光装置１０が発する白色光の色温度は、青色ＬＥＤチップ１１の光強度と、青緑色ＬＥＤチップ１２の光強度とのバランスを変更することにより微調整されてもよい。つまり、発光装置１０が発する白色光の発光スペクトルにおいて、青色ＬＥＤチップ１１の光強度は、青緑色ＬＥＤチップ１２の光強度より低くてもよいし、高くてもよい。
【００５３】
［効果］
発光装置１０は、白色光源に一般的に使用される青色ＬＥＤチップ１１に加えて、４８０ｎｍに発光ピークを有する青緑色ＬＥＤチップ１２を備える。これにより、発光装置１０は、青色の再現性を向上することができる。具体的には、発光装置１０が発する白色光は、特殊演色評価数Ｒ１２が向上されている。
【００５４】
特殊演色評価数Ｒ１２を含む特殊演色評価数は、試験色を試料光源（この場合、発光装置１０）によって照明することによって得られる色差によって求められる。図７は、特殊演色評価数Ｒ１２の試験色のスペクトル反射率（反射スペクトル）を示す図である。
【００５５】
図７に示されるように、特殊演色評価数Ｒ１２の試験色は、主として４００ｎｍ以上５５０ｎｍ以下の範囲の光を反射する。発光装置１０は、４５０ｎｍに発光ピークを有する青色ＬＥＤチップ１１と、４８０ｎｍに発光ピークを有する青緑色ＬＥＤチップ１２とを備えることにより、発光装置１０が発する白色光は、４００ｎｍ以上５５０ｎｍ以下の範囲のうち広い範囲で光強度が高められている。したがって、発光装置１０が発する白色光は、特殊演色評価数Ｒ１２が向上される。つまり、発光装置１０、及び、発光装置１０を備える照明装置１００は、青色の再現性を向上することができる。
【００５６】
なお、青色ＬＥＤチップ１１の発光のピーク波長は、一般に４４５ｎｍ〜４６５ｎｍ程度のばらつきを有する。よって、１つの発光装置が、発光のピーク波長の異なる複数の青色ＬＥＤチップ１１を備える場合もある。ところが、最大４６５ｎｍ程度の発光のピーク波長を有する青色ＬＥＤチップ１１が混在している発光装置は、上述の通り、特殊演色評価数Ｒ１２の試験色の反射スペクトルにおいて、青色ＬＥＤチップ１１の発光のピーク波長と、黄色蛍光体１５ｙの発光のピーク波長と間に谷間領域を含む。
【００５７】
つまり、複数の青色ＬＥＤチップ１１のみを備える発光装置においては、発光のピーク波長が上述の程度しかばらつかないため、反射スペクトルの上記の谷の領域を埋めることができず、特殊演色評価数Ｒ１２を向上することはできない。
【００５８】
これに対し、発光装置１０においては、発光のピーク波長が異なる複数種類のＬＥＤチップが混載されることによって、この反射スペクトルの谷間が十分に埋まるため、特殊演色評価数Ｒ１２が高められる。
【００５９】
（実施の形態２）
発光装置１０は、さらに、赤色光を発する赤色ＬＥＤチップを備え、青色ＬＥＤチップ１１、青緑色ＬＥＤチップ１２、赤色ＬＥＤチップ、及び、黄色蛍光体１５ｙのそれぞれが発する光が混ざることにより白色光を発してもよい。以下、このような実施の形態２に係る発光装置について説明する。
【００６０】
実施の形態２に係る発光装置は、基本的な構造は、図３及び図４に示される構造と同じであるが、基板１４に実装される複数の発光素子の中に、赤色光を発する赤色ＬＥＤチップが含まれる。青色ＬＥＤチップ１１及び青緑色ＬＥＤチップ１２の数に対する赤色ＬＥＤチップの数は、後述する発光スペクトルを実現するために、当該赤色ＬＥＤチップの光出力等に応じて定められる。また、実施の形態２に係る発光装置が有する封止部材には、後述する発光スペクトルを実現するために、実施の形態１で説明した黄色蛍光体１５ｙ及び緑色蛍光体の少なくとも一方が適量含まれる。また、後述する発光スペクトルを実現するために、赤色蛍光体１５ｒは、実施の形態２に係る発光装置が有する封止部材に適宜含まれてもよいし、含まれなくてもよい。
【００６１】
赤色ＬＥＤチップは、第三発光素子の一例である。赤色ＬＥＤチップは、より具体的には、ＡｌＧａＩｎＰ系の材料によって形成される。赤色ＬＥＤチップの発光のピーク波長は、発光装置が発する光の色温度に応じて異なるが、実施の形態２では、赤色ＬＥＤチップは、約６３０ｎｍ以上６４５ｎｍ以下の範囲に発光ピークを有する。
【００６２】
なお、赤色ＬＥＤチップの個数及び配置は、例えば、実施の形態２に係る発光装置が発する白色光が以下の発光スペクトルを有するように、回路におけるトータルのＶｆ及び色むらなどを考慮して定められる。図８は、実施の形態２に係る発光装置が発する白色光の発光スペクトルを示す図である。
【００６３】
なお、図８では、比較例に係る発光装置が発する白色光の発光スペクトルも図示されている。比較例に係る発光装置は、発光のピーク波長が４５０ｎｍの青色ＬＥＤチップ１１と、黄色蛍光体と、赤色蛍光体との組み合わせにより白色光を発する。比較例に係る発光装置は、青緑色ＬＥＤチップ及び赤色ＬＥＤチップを備えない。
【００６４】
図８に示されるように、発光装置１０が発する白色光の発光スペクトルにおいて、黄色蛍光体１５ｙの発光により現れる５５０ｎｍ付近のピークは、赤色ＬＥＤチップの発光により現れる６３０ｎｍ付近のピークよりも低い。具体的には、５５０ｎｍ付近のピークにおける光強度は、赤色ＬＥＤチップの発光により現れるピークにおける光強度の３分の１以下である。
【００６５】
また、青緑色ＬＥＤチップ１２の発光により現れる４８０ｎｍ付近のピークは、黄色蛍光体１５ｙの発光により現れる５５０ｎｍ付近のピークよりも低い。具体的には、４８０ｎｍ付近のピークにおける光強度は、５５０ｎｍ付近のピークにおける光強度の２分の１以下である。
【００６６】
そして、青色ＬＥＤチップ１１の発光により現れる４５０ｎｍ付近のピークは、青緑色ＬＥＤチップ１２により現れる４８０ｎｍ付近のピークよりも低い。具体的には、４５０ｎｍ付近のピークにおける光強度は、４８０ｎｍ付近のピークにおける光強度の４分の３以下である。
【００６７】
以上説明したような実施の形態２に係る発光装置が発する白色光は、特殊演色評価数Ｒ９〜Ｒ１５のそれぞれが高められる。図９は、実施の形態２に係る発光装置の特殊演色評価数Ｒ９〜Ｒ１５を示す図である。なお、図９では、比較例に係る発光装置の特殊演色評価数Ｒ９〜Ｒ１５も図示されている。
【００６８】
図９に示されるように、実施の形態２に係る発光装置が発する白色光は、特殊演色評価数Ｒ９〜Ｒ１５のそれぞれが８５以上となっている。特に、実施の形態２に係る発光装置は、赤色に発光する赤色ＬＥＤチップを有するため、比較例に係る発光装置に比べて、特殊演色評価数Ｒ９が高い。
【００６９】
また、実施の形態２に係る発光装置は、青緑色に発光する青緑色ＬＥＤチップ１２を有するため、実施の形態１で説明したように、特殊演色評価数Ｒ１２が高い。比較例に係る発光装置は、青緑色ＬＥＤチップ１２を有しないため、発光スペクトルの４８０ｎｍ付近における光強度が不足する（発光スペクトルの４８０ｎｍ付近が谷状になっている）ため、特殊演色評価数Ｒ１２が低いと考えられる。
【００７０】
このように、実施の形態２に係る発光装置は、特殊演色評価数Ｒ９〜Ｒ１５が総じて高い。実施の形態２に係る発光装置は、青色の再現性に加えて赤色の再現性も向上させることができる。
【００７１】
（まとめ）
以上説明したように、発光装置１０は、発光のピーク波長が４４５ｎｍ以上４６０ｎｍ以下の青色ＬＥＤチップ１１と、発光のピーク波長が４６５ｎｍ以上４９０ｎｍ以下の青緑色ＬＥＤチップ１２と、青色ＬＥＤチップ１１または青緑色ＬＥＤチップ１２が発する光で励起されて光を発する黄色蛍光体１５ｙとを備える。発光装置１０は、青色ＬＥＤチップ１１、青緑色ＬＥＤチップ１２、及び、黄色蛍光体１５ｙのそれぞれが発する光が混ざることにより白色光を発する。
【００７２】
これにより、発光装置１０は、青色の再現性を向上することができる。また、近年、青色光がヒトの目に与える影響が懸念されているが、発光装置１０は、青色光に加えて青緑色光を使用して白色光を発する。したがって、発光装置１０は、発光スペクトルにおいて青色光のピークを低減し、上記のような懸念を低減することができる。
【００７３】
また、発光装置１０は、青色ＬＥＤチップ１１及び青緑色ＬＥＤチップ１２をそれぞれ複数備え、青色ＬＥＤチップ１１の数と青緑色ＬＥＤチップ１２の数とはほぼ同一であってもよい。
【００７４】
これにより、発光装置１０は、青色光の光強度を、青色ＬＥＤチップ１１のみが用いられる場合の半分程度に低減することができる。つまり、ユーザの青色光に対する懸念を低減できる。
【００７５】
また、発光装置１０は、さらに、複数の青色ＬＥＤチップ１１及び複数の青緑色ＬＥＤチップ１２からなる発光素子列が実装される基板１４を備え、発光素子列において、青色ＬＥＤチップ１１と青緑色ＬＥＤチップ１２とは、交互に配置されてもよい。
【００７６】
これにより、発光装置１０の色むらを低減できる。
【００７７】
また、白色光が発する光の色温度は、４０００Ｋ以上７０００Ｋ以下であってもよい。
【００７８】
青色ＬＥＤチップ１１と青緑色ＬＥＤチップ１２とを両方備える発光装置１０は、高い色温度の白色光源に適している。つまり、発光装置１０は、４０００Ｋ以上７０００Ｋ以下の白色光源を容易に実現することができる。
【００７９】
また、白色光の発光スペクトルにおいて、青色ＬＥＤチップ１１の発光により現れるピークは、黄色蛍光体１５ｙの発光により現れるピークよりも低くてもよい。
【００８０】
これにより、発光装置１０は、図６に示されるような発光スペクトルを実現することができる。
【００８１】
また、発光装置１０は、さらに、赤色光を発する赤色ＬＥＤチップを備え、青色ＬＥＤチップ１１、青緑色ＬＥＤチップ１２、赤色ＬＥＤチップ、及び、黄色蛍光体１５ｙのそれぞれが発する光が混ざることにより白色光を発してもよい。
【００８２】
これにより、発光装置１０は、青色の再現性に加えて、赤色の再現性も高めることができる。
【００８３】
また、白色光の発光スペクトルにおいて、黄色蛍光体１５ｙの発光により現れるピークは、赤色ＬＥＤチップの発光により現れるピークよりも低くてもよく、青緑色ＬＥＤチップ１２の発光により現れるピークは、黄色蛍光体１５ｙの発光により現れるピークよりも低くてもよい。白色光の発光スペクトルにおいて、青色ＬＥＤチップ１１の発光により現れるピークは、青緑色ＬＥＤチップ１２により現れるピークよりも低くてもよい。
【００８４】
これにより、発光装置１０は、図９に示されるような高い演色性を有する白色光を発することができる。
【００８５】
また、発光装置１０は、さらに、黄色蛍光体１５ｙを含み、青色ＬＥＤチップ１１及び青緑色ＬＥＤチップ１２を一括封止する封止部材１３を備えてもよい。
【００８６】
これにより、発光装置１０は、封止部材１３から白色光を発することができる。
【００８７】
また、照明装置１００は、発光装置１０と、発光装置１０に、当該発光装置１０を点灯させるための電力を供給する点灯装置とを備える。
【００８８】
これにより、照明装置１００は、青色の再現性を向上することができる。
【００８９】
（他の実施の形態）
以上、実施の形態に係る発光装置及び照明装置について説明したが、本発明は、上記実施の形態に限定されるものではない。
【００９０】
上記実施の形態では、発光素子としてＬＥＤチップが例示されたが、半導体レーザ等の半導体発光素子、または、有機ＥＬ（Ｅｌｅｃｔｒｏ  Ｌｕｍｉｎｅｓｃｅｎｃｅ）もしくは無機ＥＬ等のＥＬ素子等の他の種類の固体発光素子が、発光素子として採用されてもよい。
【００９１】
また、例えば、上記実施の形態では、ＣＯＢ構造の発光モジュールとして実現された発光装置について説明したが、本発明の発光装置は、ＳＭＤ型の発光素子として実現されてもよい。また、本発明の発光装置は、このようなＳＭＤ型の発光素子を備えるＳＭＤ構造の発光装置として実現されてもよい。なお、ＳＭＤ型の発光素子は、例えば、凹部を有する樹脂製の容器と、凹部の中に実装されたＬＥＤチップと、凹部内に封入された封止部材（蛍光体含有樹脂）とを備える。
【００９２】
また、本発明の発光装置は、ＬＥＤチップと離れた位置に蛍光体を含む樹脂部材が配置されたリモートフォスファー型の発光装置として実現されてもよい。また、本発明の発光装置の形状、構造、及び、大きさは、特に限定されるものではない。
【００９３】
また、上記実施の形態では、照明装置として、ベースライトが例示されたが、本発明は、シーリングライト、スポットライト、及び、ダウンライトなど、ベースライト以外の照明装置として実現されてもよい。
【００９４】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９５】
１０  発光装置
１１  青色ＬＥＤチップ（第一発光素子）
１２  青緑色ＬＥＤチップ（第二発光素子）
１３  封止部材
１４  基板
１５ｙ  黄色蛍光体（蛍光体）
１００  照明装置
１４０  点灯装置
【図１】
0006712768.tif 000002
【図２】
0006712768.tif 000003
【図３】
0006712768.tif 000004
【図４】
0006712768.tif 000005
【図５】
0006712768.tif 000006
【図６】
0006712768.tif 000007
【図７】
0006712768.tif 000008
【図８】
0006712768.tif 000009
【図９】
0006712768.tif 000010